(57)【要約】【課題】懸濁物質を含む水を吸水するための消費電力が少なく、採取装置を水域内で強制的に移動させることなく、水域内の懸濁物質を広範囲に効率良く吸引採取することが可能である懸濁物質採取装置を提供すること。【解決手段】上部が円形に開口したバケツ型の形状を有する水槽１２と、水槽１２に溜めた水を吸水して、水槽１２の外部に送水する吸水ポンプ３６と、サイフォンの原理を利用して取水する複数の管材２２と、を有し、管材２２は、鉤型に形成され、水槽外下端２２ａの近傍には浮体１８が固定され、浮体１８の上部は伸縮管２０とされ、水槽外下端２２ａには、上側に開口した上部スリット管１４を、管材２２と直交して水槽１２に対して放射状に取り付けた。【選択図】図２
2008150816.tif 000002
【特許請求の範囲】
【請求項１】
上部が開口し、内部に懸濁物質を含む水を溜める水槽と、
該水槽に溜めた水を吸水する吸水ポンプを有し、前記水槽の外部へ前記吸水した水を送水する送水手段と、
前記水槽の内／外に跨って設けられ、水槽内下端と該水槽内下端より高い位置に設定される水槽外下端を有する複数の管材と、を有し、
前記複数の管材は、サイフォンの原理を利用して、懸濁物質を含む水を前記水槽へ取水することを特徴とする懸濁物質採取装置。
【請求項２】
前記管材は、
前記水槽に取り付けられており、前記水槽外下端近傍には浮体が固定され、該浮体の上部は、伸長方向に付勢された伸縮管とされており、前記水槽内の水量如何にかかわらず、前記水槽外下端が、水面下近傍の略一定の位置に保たれるようにしたことを特徴とする請求項１に記載の懸濁物質採取装置。
【請求項３】
前記複数の管材の各水槽外端部には、上側に開口した上部スリット管が、前記管材と直交して、かつ前記水槽に対して放射状に取り付けられたことを特徴とする請求項１又は２の何れか１項に記載の懸濁物質採取装置。
【請求項４】
前記水槽の上部開口が円形とされ、
前記管材は、前記水槽の開口縁部上を移動自在に取り付けられ、
前記管材には、該管材を前記開口縁部に沿って、風により回転移動させるための帆が設けられたことを特徴とする請求項１〜３の何れか１項に記載の懸濁物質採取装置。
【請求項５】
前記上部スリット管の前記管材への取り付けは、前記上部スリット管が、該上部スリット管を含む水平面内で、前記管材の水槽外下端を略中心にして、所定の角度範囲内で左又は右に振れるように行われたことを特徴とする請求項１〜４の何れか１項に記載の懸濁物質採取装置。
【発明の詳細な説明】
【技術分野】
【０００１】
本発明は、懸濁物質採取装置に関し、特にダム湖、池、湖沼等で懸濁物質が浮遊している閉鎖性水域若しくは微流動水域を、広範囲に浄化する懸濁物質採取装置に関する。
【背景技術】
【０００２】
ダム湖、池、湖沼、貯水池、ダムの入り江、堀又は海域等で植物プランクトン等を含む浮遊懸濁物質が浮遊している閉鎖性水域若しくは微流動水域を浄化する方法や装置の開発が活発化している。これは、環境の問題に加えて、水域に生息している動植物の生死の問題も関連しているからである。
【０００３】
特許文献１は、水面下の一定幅を有する層に分布する水中浮遊物を、効率的に採取することを目的としており、その目的達成のために、水中浮遊物採取装置が開示されている。この水中浮遊物採取装置は、水面に浮いた状態に設置され、アオコ等の水中浮遊物を採取する採取フロートと、水中に沈んだ状態に設置され、水中浮遊物を捕捉し、水中浮遊物とともに、水面に向かって上昇する泡を発生させる泡発生器と、水面に浮いた状態に設置され、上昇する泡が衝突して、水中浮遊物を採取フロートに向かわせる水流を発生させる水流形成板とを有している。
【０００４】
すなわち、上記特許文献１は、アオコ等の分布している範囲の水面下深部で泡発生器により泡を発生させ、この泡を水流形成板に衝突させ、採取フロートへ向かう水流を形成する。この水流にアオコ等の浮遊懸濁物質が捕捉されるので、採取フロートの吸引口より、効率良く浮遊懸濁物質を水とともに、吸収できるというものである。
【０００５】
特許文献２は、アオコ等の水面浮遊物を、広い範囲で回収することができる水質浄化装置及び水質浄化方法を提供することを目的としている。その目的達成のために、周囲に複数の翼部を備えた回転翼で成る回流発生手段の中心部に、吸水管の吸込口を配置し、回転翼の回転とともに、吸込口から吸水作用を行わせて、吸込口を中心とした渦状の水流を直径の広い範囲の水域に発生させて、水域上に浮遊するアオコを水とともに吸引し、回収するという手段が開示されている。ここで、吸込口は水面下に配置され、複数の翼部を備えた回転翼は水中において、この吸込口を中心として回転する構成になっている。
【０００６】
すなわち、特許文献２の水質浄化装置は、水中で吸水管の吸込口を取り巻いて設けた回転翼で吸込口周囲に環状の水流を発生させるとともに、吸込口から吸水作用を行わせて渦状の水流を発生させ、この渦状の水流にアオコを乗せて吸込口へ導き、吸水するというものである。
【０００７】
【特許文献１】特開２００４−８９４８号公報
【特許文献２】特開２０００−３０３４３８号公報
【発明の開示】
【発明が解決しようとする課題】
【０００８】
上記特許文献１に記載の水中浮遊物採取装置は、水中浮遊物を効率的に採取することが可能ではあるが、泡を発生させるために電力を要し、懸濁物質を含む水を吸引ポンプにより常時吸水するため、吸水するための消費電力量が多いという問題がある。加えて、水面若しくは水面近傍に浮遊する懸濁物質を広範囲に採取するためには、水中浮遊物採取装置を移動させる必要があり、そのため作業コストが高くなるという問題がある。
【０００９】
上記特許文献２に記載の水質浄化装置は、特許文献１に関して述べた課題と同様であって、渦状の水流を発生させ、懸濁物質を含む水を吸引ポンプにより常時吸引するために、吸水するための消費電力が多く、水面若しくは水面近傍に浮遊する懸濁物質を広範囲に採取するためには、水質浄化装置を移動させる必要があり、そのため作業コストが高くなるという問題がある。
【００１０】
更に、水面に浮遊する懸濁物質は、風の影響を受けて風下へ流れるため、採取装置が一定の場所に固定されているのではなく、容易にその場所が変えられることが望ましい。若しくは、風の影響を受けて流れた懸濁物質を追うように、採取装置が追従することが望ましい。特許文献１、２に示されるように、懸濁物質採取装置を一定の場所に固定した場合には、懸濁物質が風の影響で移動するとその回収が難しくなり、回収率が低下することとなる。
【００１１】
本発明は、上記課題に鑑みてなされたものであり、その目的は、懸濁物質を含む水を吸水するための消費電力が少なく、採取装置を水域内で強制的に移動させることなく、水域内の懸濁物質を、広範囲に効率良く吸引採取することが可能である懸濁物質採取装置を提供することにある。
【課題を解決するための手段】
【００１２】
上記目的を達成するため請求項１に係る懸濁物質採取装置は、上部が開口し、内部に懸濁物質を含む水を溜める水槽と、該水槽に溜めた水を吸水する吸水ポンプを有し、前記水槽の外部へ前記吸水した水を送水する送水手段と、前記水槽の内／外に跨って設けられ、水槽内下端と該水槽内下端より高い位置に設定される水槽外下端を有する複数の管材と、を有し、前記複数の管材は、サイフォンの原理を利用して、懸濁物質を含む水を前記水槽へ取水することを特徴とする。
【００１３】
従って、本発明の懸濁物質採取装置は、複数の管材により、懸濁物質を含む水をサイフォンの原理を利用して取水しているので、懸濁物質を含む水を取水するための電力を必要とせず、吸水するための消費電力が極めて少ない懸濁物質採取装置を実現することができる。
【００１４】
請求項２に記載のように、前記管材は、前記水槽に取り付けられており、前記水槽外下端近傍には浮体が固定され、該浮体の上部は、伸長方向に付勢された伸縮管とされており、前記水槽内の水量如何にかかわらず、前記水槽外下端が、水面下近傍の略一定の位置に保たれるようにしたので、懸濁物質を含む水、とりわけ水面下近傍の懸濁物質の濃度が高い水を、安定して取水することが可能である。
【００１５】
請求項３に記載のように、前記複数の管材の各水槽外端部には、上側に開口した上部スリット管が、前記管材と直交して、かつ前記水槽に対して放射状に取り付けられているので、広範囲に効率良く懸濁物質を含む水を取水することが可能である。
【００１６】
請求項４に記載のように、前記水槽の上部開口が円形とされ、前記管材は、前記水槽の開口縁部上を移動自在に取り付けられ、前記管材には、該管材を前記開口縁部に沿って、風により回転移動させるための帆が設けられているので、懸濁物質採取装置は、自由に水域内を回転移動しながら、懸濁物質を含む水を取水することが可能となり、作業コストを大幅に削減することができる。
【００１７】
請求項５に記載のように、前記上部スリット管の前記管材への取り付けは、前記上部スリット管が、該上部スリット管を含む水平面内で、前記管材の水槽外下端を略中心にして、所定の角度範囲内で左又は右に振るように行われているので、水域内の風を受けて懸濁物質採取装置が回転移動する際に、水面に渦巻き状の流れが形成され、浮遊する懸濁物質を呼び寄せることとなり、懸濁物質がより効率的に採取できることとなる。
【発明の効果】
【００１８】
本発明の懸濁物質採取装置によれば、サイフォンの原理により、懸濁物質を含む水を複数の管材から取水しているので、懸濁物質を含む水を取水するための電力を必要とせず、吸水するための消費電力が極めて少ない懸濁物質採取装置を実現することができる。更に、本発明の他の構成によれば、水面若しくは水面近傍に浮遊する懸濁物質を安定して、かつ広範囲に効率良く吸引採取することが可能である。
【発明を実施するための最良の形態】
【００１９】
以下、この発明の実施の形態について図面を参照して説明する。図１は本発明の懸濁物質採取装置の平面図、図２は図１のＡ−Ａ線に沿う概略断面図である。なお、本実施の形態では、懸濁物質としてアオコを想定している。
【００２０】
懸濁物質採取装置１０は、上部が円形に開口したバケツ型の水槽１２と、水槽１２に溜めた水を吸水して水槽１２の外部に送水する送水手段と、サイフォンの原理を利用して、水槽１２の内部へ懸濁物質を含む水を取水する８本の管材（サイフォン管）２２とを有している。送水手段は、吸水ポンプ３６と、吸水管３８、出水管４０、フレキシブルパイプ５０を有している。
【００２１】
吸水ポンプ３６は、水槽１２の中央に設けられた吸水ポンプ台３５に、吸水ポンプ台座３４を取り付け、この吸水ポンプ台座３４上に据え付けられている。吸水ポンプ３６の吸水管３８は、水槽１２の底部付近まで伸長しており、出水管４０は、水槽１２の底部を貫通し、接合ジョイント４８を介してフレキシブルパイプ（導水管）５０に連結されている。このフレキシブルパイプ５０は、例えば岸辺に設置された沈殿槽まで延びており、水槽１２に取り入れられた懸濁物質を含む水は、吸水ポンプ３６により吸水管３８、出水管４０、フレキシブルパイプ５０を通って沈殿槽に送出される。
【００２２】
管材２２は、鉤型に形成され、水槽外下端２２ａには自在ジョイント１６を介して、上側に開口した上部スリット管１４が、管材２２と直角に、かつ水槽１２に対して放射状に取り付けられている。水槽内下端（サイフォン吐出口）２２ｂは、水槽１２の底部付近に位置するように構成されている。自在ジョイント１６、すなわち上部スリット管１４と管材２２との接続部の上部には、浮体１８が管材２２に固定され、浮体１８の上部は、伸長方向に付勢された伸縮管２０となっている。なお、全ての管材２２は、サイフォン管連結材５６に固定されている。
【００２３】
上記の管材２２に固定された浮体１８と、管材２２に設けられた伸縮管２０と、水槽１２とによって、上部スリット管１４の上側開口の縁部（サイフォン取水口）１５ａが、水槽１２内の水量如何にかかわらず、常時水面下略２〜３ｃｍとなるように構成されている。すなわち、水槽１２に取水された水が多く、水槽１２全体が沈むと、伸縮管２２がその沈んだ分だけ縮み、その結果、上部スリット管１４の上側開口の溝部１５ａの位置は変わらないように構成されている。つまり、水槽１２の浮き沈み分を、この伸縮管２０が吸収できる構成になっている。この作用によって、常時懸濁物質の濃度が高い水を、上部スリット管１４から安定して取水し続けることが可能になっている。
【００２４】
なお、上部スリット管１４は、例えば塩化ビニールのパイプに縦の切れ目を入れて、この切れ目が上側を向くようにしたものでも良い。また、上部スリット管１４の外側端部１５ｂは閉塞されている。より効果的に上側開口の溝部１５ａから取水するためである。更に、上部スリット管１４の長さは、水槽１２の大きさや、吸水ポンプ３６の能力等を考慮して最適に決定することが可能である。
【００２５】
更に、管材２２には、逆止弁３０が取り付けられた空気抜き管２４の一端が、管材２２の内部と連通して接続され、空気抜き管２４の他端は、空気抜き管結合部２６に接続されている。空気抜き管２４は、合計８本あり、その一端部は、全て空気抜き管結合部２６に接続されている。そして、この空気抜き管結合部２６は真空ポンプ２８に連結している。
【００２６】
逆止弁３０は、一方向へのみ空気を通す作用があり、本実施の形態では、管材２２から空気抜き管結合部２６への空気の流れが許容され、その逆には流れないように構成されている。真空ポンプ２８を作動することにより、空気抜き管結合部２６、空気抜き管２４を介して、管材２２内が真空とされ、管材２２へ懸濁物質を含む水が充填され、サイフォンの原理により、管材２２による取水が開始されることとなる。また夜間等、アオコが発生しない時間帯には逆止弁３０を開放することで、空気が管材２２に入り、サイフォンの原理の停止により、管材２２による取水を停止する。なお、真空ポンプ２８の上部には、係留治具６０が設けられており、この係留治具６０にワイヤ等を通して、懸濁物質採取装置１０の動きをある範囲に限定することが可能である。
【００２７】
サイフォン管連結材５６の下端部には、ボールローラ５４が設置されている。ボールローラ５４と接する水槽１２の上端部には、管材２２が円滑に回転移動できるように円環状の緩衝部材５５が載置されている。緩衝部材５５として、例えばゴム板等を用いても良い。
【００２８】
空気抜き管結合部２６と真空ポンプ２８は、真空ポンプ台３７上に設置された真空ポンプ回転台３２に載置され、帆５８は管材２２の一部分に取り付けられている。これにより、水槽１２、吸水ポンプ台３５、吸水ポンプ台座３４、吸水ポンプ３６、吸水管３８、出水管４０、真空ポンプ台３７のグループと、上部スリット管１４、浮体１８、伸縮管２０、管材２２、空気抜き管２４、真空ポンプ回転台３２、真空ポンプ２８、帆５８のグループが別々に動くことが可能となる。すなわち、帆５８が水域内の風を受けたときに、上部スリット管１４、管材２２等が、水槽１２の周囲を左又は右に回転しながら移動することとなる。
【００２９】
なお、上記の上部スリット管１４と管材２２との接続に、自在ジョイント１６を用いており、上部スリット管１４は、自在ジョイント１６を中心に、左又は右に特定の角度範囲内で振ることができる構成になっている。これにより、帆５８が風を受けて上部スリット管１４が回転移動する際に、上部スリット管１４は、左又は右に振れ、渦巻状の流れを形成することとなる。
【００３０】
また、吸水ポンプ３６は、水槽１２内の水の量を管理するために、吸水ポンプ上部水位センサ４２、吸水ポンプ下部水位センサ４４によって、オン・オフ制御され、常に管材２２によって取水される水の水位は、上部水位センサ４２と下部水位センサ４４との間にあるように構成されている。すなわち、管材２２によって取水される水の水位が、上部水位センサ４２に達したときに、吸水ポンプ３６を作動させて、取水した水を水槽１２から送出し続け、水位が下部水位センサ４４まで下がったときに、吸水ポンプ３６の作動を止めるように構成されている。なお、上記の制御は、吸水ポンプ上部水位センサ４２及び吸水ポンプ下部水位センサ４４と吸水ポンプ３６との間に延線された制御線４６を介して行われる。
【００３１】
帆５８は、前述のように管材２２の一部分に取り付けられており、材質は、プラスチック樹脂材、布材、板材等適宜用いることができる。なお、帆５８は風を効率良く受けるために、管材２２に取り付ける際に、取り付け角度を自由に設定しても良い。ここで、帆５８は、管材２２ではなく、空気抜き管２４又は円環状のサイフォン管連結材５６に取り付けられていても良い。図１においては、帆５８は自由に角度を設定できることを示すために、８個の帆５８は、それぞれ任意の取り付け角度を付して示している。
【００３２】
図３は、本発明による懸濁物質採取装置１０の水域内での動作説明図である。以下、水面若しくは水面近傍に浮遊する懸濁物質を採取する作業について説明しながら、本発明の懸濁物質採取装置１０の各部の作用について詳述する。但し、図３では、懸濁物質採取作業を行うべき範囲を特定し、その範囲内を懸濁物質採取装置１０が限定して移動するように、水域の両岸からワイヤ６８を張り伸ばしている。すなわち、懸濁物質詐取装置１０の回転移動範囲は、ワイヤ６８に沿う範囲に限定される。なお、ワイヤ６８は、懸濁物質採取装置１０の係留治具６０を通して、両岸に打ち込まれた係留用アンカー７０によって固定されており、係留治具６０は回転できる構成になっている。
【００３３】
懸濁物質採取装置１０を所定の位置に配置した後、真空ポンプ２８を動作させる。すると、空気抜き管結合部２６、空気抜き管２４を介して、各管材２２内の空気が抜かれ、真空状態となり、各管材２２には、懸濁物質を含む水が充填され始める。
【００３４】
管材２２内に充填される水が、水槽１２を跨いでいる部分まで達したときに、真空ポンプ２８の動作を止めると、懸濁物質を含む水はサイフォンの原理により、水槽１２内に取水され始める。取水は、管材２２に空気が入らない限り、続けられることとなる。
【００３５】
懸濁物質を含む水は、水槽１２に取水され続けるが、その水位が吸水ポンプ上部水位センサ４２に達したときに、吸水ポンプ３６が自動的に作動し、懸濁物質含む水は吸水管３８、出水管４０、接合ジョイント４８、フレキシブルパイプ５０を介して、水域内の岸辺に設置された沈殿槽６２に送水される。水位が、吸水ポンプ下部水位センサ４４に達したときは、吸水ポンプ３６が自動的に停止する。従って、本発明の懸濁物質採取装置１０では、懸濁物質を含む水を取水するためには電力を必要とせず、水槽１２内の水を吸水する吸水ポンプ３６は、断続的に運転されるので、吸水のための消費電力を低く抑えることができる。また、吸水ポンプの能力は、今までは懸濁物質を、より多く広範囲から採取するため、吸引力を重視した高揚程のポンプが必要であったが、本発明により吸水ポンプの設置位置から陸上の沈殿槽までの揚程と処理槽の能力により、ポンプの機種を選定できるので、ポンプ設備費も低コストとなる。
【００３６】
上記のフレキシブルパイプ５０は、可とう性のある材質で構成され、懸濁物質採取装置１０が広範囲に移動できるように十分の長さが確保されている。沈殿槽６２は、図示してはいないが、第一貯水槽で小枝等の塵芥物が取り除かれ、同じく図示していない第二貯水槽を介して、岸の上に設置されている処理槽６６にポンプにより送出され、処理されるように構成されている。この目的のために、沈殿槽６２と処理槽６６とは導水管６４で接続されている。
【００３７】
前述のように、管材２２には上部スリット管１４が接続されており、上側開口の縁部１５ａが、水槽１２内の水量如何にかかわらず、水面下略２〜３ｃｍに位置するように構成されている。そして、８本の上部スリット管１４は、水槽１２の周りに放射状に配置されている。従って、水面下略２〜３ｃｍで、懸濁物質の濃度の高い水が、８本の上部スリット管１４の上側開口の縁部１５ａから、広範囲に効率良く、しかも安定して取水されることとなる。
【００３８】
一方、水面若しくは水面近傍に浮遊する懸濁物質は、水域内の風で容易に移動するために、移動した懸濁物質に追従して懸濁物質採取装置を強制的に移動させる必要があったが、本発明の懸濁物質採取装置１０は、ボールローラ５４及び帆５８が設けられているため、水域内を風によって回転しながら移動することが可能である。但し、図３に示した例では、ワイヤ６８に沿う範囲で回転移動することとなる。
【００３９】
すなわち、本発明の濁物質採取装置１０は、懸濁物質採取作業を行うべき範囲に、水面の風で懸濁物質が移動してきた場合、ワイヤ６８に沿って懸濁物質を自然に追いながら吸引採取することが可能である。従って、懸濁物質採取装置１０は、懸濁物質採取作業を行うべき範囲内を自由に回転移動するので、強制的或いは人為的に牽引する必要がなく、作業コストを大幅に削減することが可能となる。
【００４０】
また、上部スリット管１４は、懸濁物質採取装置１０が水域内の風を受けて回転移動する際に、左又は右に振れ、水面に渦巻き状の流れを形成するので、浮遊する懸濁物質を呼び寄せることが可能となり、懸濁物質を更に効率的に採取することができる。
【００４１】
上部スリット管１４が左又は右に振れることの意義は、一つの上部スリット管１４で懸濁物質が吸引採取できなくても、隣接する他の上部スリット管１４が懸濁物質に近づいて吸引採取することができる点にある。従って、水域内の懸濁物質を、更に効率良く、吸引採取することが可能となっている
【００４２】
なお、本発明は上記実施の形態に限定されることなく、発明の趣旨を逸脱しない範囲で種々変更可能である。例えば、上部スリット管１４の数を変更しても良い。また、帆５８の形状・材質を変えても構わない。更に、各部材の寸法も、実施の形態に限定されることなく、懸濁物質を除去すべき水域に応じて、適宜設計変更することができる。
【産業上の利用可能性】
【００４３】
本発明は、ダム湖、池、湖沼、貯水池、ダムの入り江、堀又は海域等で植物プランクトン等を含む懸濁物質が滞留している閉鎖性水域若しくは微流動水域において利用することが可能である。本発明の趣旨を逸脱しない範囲で、種々設計変更すれば、例えば、油流出時の油回収等、水面に浮遊しているものの回収に転用することが可能である。
【図面の簡単な説明】
【００４４】
【図１】本発明による懸濁物質採取装置の平面図である。
【図２】図１中のＡ−Ａ線に沿う概略断面図である。
【図３】本発明による懸濁物質採取装置の水域内での動作説明図である。
【符号の説明】
【００４５】
１０  懸濁物質採取装置
１２  水槽
１４  上部スリット管
１５ａ  上側開口の縁部（サイフォン取水口）
１５ｂ  上部スリット管の外側端部
１６  自在ジョイント
１８  浮体
２０  伸縮管
２２  管材（サイフォン管）
２２ａ  水槽外下端
２２ｂ  水槽内下端（サイフォン吐出口）
２４  空気抜き管
２６  空気抜き管結合部
２８  真空ポンプ
３０  逆止弁
３２  真空ポンプ回転台
３４  吸水ポンプ台座
３５  吸水ポンプ台
３６  吸水ポンプ
３７  真空ポンプ台
３８  吸水管
４０  出水管
４２  吸水ポンプ上部センサ
４４  吸水ポンプ下部センサ
４６  制御線
４８  接合ジョイント
５０  フレキシブルパイプ（導水管）
５４  ボールローラ
５５  緩衝部材
５６  サイフォン管連結材
５８  帆
６０  係留治具
６２  沈殿槽
６４  導水管
６６  処理槽
６８  ワイヤ
７０  係留用アンカー
７１  ポンプ
Ｓ  水面
【図１】
2008150816.tif 000003
【図２】
2008150816.tif 000004
【図３】
2008150816.tif 000005